(57)【要約】      （修正有）【課題】種々の径の通水管に適用可能であり、通水管内を通過する水に対して磁界と遠赤外線を、水の進行方向における所定距離間を確実に直角方向に照射させることを可能にした着脱式水処理装置を提供する。【解決手段】通水管１０を交差する状態で挟む第１ハウジング２及び第２ハウジング３と、前記第１ハウジング内と前記第２ハウジング内にそれぞれ収納された相反極性の磁気手段１２，１６及び赤外線放射手段１３，１４，１７，１８と、前記第１ハウジングと前記第２ハウジングの一方の端面に接してこれを保持するプレート４，５を回動可能に接続するヒンジ手段８とから構成され、通水管の外径に応じて前記第１ハウジングと前記第２ハウジングの間隔を調整可能な１又は複数本の溝が設けられ、前記ヒンジ手段は、前記第１ハウジングと第２ハウジングが通水管を挟んだ際にプレートが略同一の平面を形成することにより前記第１ハウジングと前記第２ハウジングが平行状態を形成するためのストッパ手段９を備える。【選択図】図１
2005205245.tif 000002
【特許請求の範囲】
【請求項１】
通水管内を流通する水に対して磁力線と赤外線を照射することにより水を活水化させる水処理装置であって、
前記通水管を交差する状態で挟む第１ハウジング及び第２ハウジングと、
前記第１ハウジング内と前記第２ハウジング内にそれぞれ収納された相反極性の磁気手段及び赤外線放射手段と、
前記第１ハウジングと前記第２ハウジングの一方の端面に接してこれを保持する第１支持プレート及び第２支持プレートと、
前記第１支持プレートと第２支持プレートを回動可能に接続するヒンジ手段と、
から構成され、
前記第１支持プレートと前記第２支持プレートには、通水管の外径に応じて前記第１ハウジングと前記第２ハウジングの間隔を調整可能する１又は複数本の溝が設けられ、
前記第１ハウジング及び前記第２ハウジングの前記一方の端面側には、前記第１支持プレートと前記第２支持プレートに設けられた前記溝に沿って摺動可能に係合する係合手段を備え、
前記ヒンジ手段は、前記第１ハウジングと第２ハウジングが通水管を挟んだ際に前記第１プレートと前記第２プレートが略同一の平面を形成することにより前記第１ハウジングと前記第２ハウジングが平行状態を形成するためのストッパ手段を備える、
ことを特徴とする着脱式水処理装置。
【請求項２】
前記ストッパ手段は、前記第１ハウジングと第２ハウジングが通水管を挟んで前記第１プレートと前記第２プレートが略同一の平面を形成した際に、前記第１プレート又は／及び前記第２プレートの表面又は裏面に接する突起部であることを特徴とする請求項１に記載の着脱式水処理装置。
【請求項３】
前記ストッパ手段は、前記第１プレートと前記第２プレートの何れか一方又は両方に設けられたことを特徴とする請求項１又は２に記載の着脱式水処理装置。
【請求項４】
前記第１プレートと前記第２プレートを同一平面になる方向に広げる作用を生じるバネ手段を備えることを特徴とする請求項１に記載の着脱式水処理装置。
【請求項５】
前記バネ手段は、前記ヒンジ手段に備えられることを特徴とする請求項４に記載の着脱式水処理装置。
【請求項６】
前記１又は複数本の溝は、前記第１支持プレートと前記第２支持プレートの接合線に対して直角又は線対称となる所定の角度を有する方向に設けられたことを特徴とする請求項１乃至４の何れかに記載の着脱式水処理装置。
【請求項７】
前記磁気手段は、ネオジウム磁石及びヨークにより構成されていることを特徴とする請求項１乃至４の何れかに記載の着脱式水処理装置。
【請求項８】
前記赤外線放射手段は、遠赤外線を放射する遠赤外線放射体であって前記磁気手段の周囲に配置されたことを特徴とする請求項７に記載の着脱式水処理装置。
【請求項９】
前記第１ハウジング及び前記第２ハウジングは、抗菌処理が施されたＡＢＳ樹脂材により構成されていることを特徴とする請求項１乃至４の何れかに記載の着脱式水処理装置。
【請求項１０】
通水管内を流通する水に対して磁力線と赤外線を照射することにより水を活水化させる水処理装置であって、
前記通水管を交差する状態で挟む第１ハウジング及び第２ハウジングと、
前記第１ハウジング内と前記第２ハウジング内にそれぞれ収納された相反極性の磁気手段及び赤外線放射手段と、
前記第１ハウジングと前記第２ハウジングの一方の端面に接してこれを保持する第１支持プレート及び第２支持プレートと、
前記第１支持プレートと第２支持プレートを回動可能に接続する弾性部材により形成されたヒンジ手段と、
から構成され、
前記第１支持プレートと前記第２支持プレートには、通水管の外径に応じて前記第１ハウジングと前記第２ハウジングの間隔を調整可能する１又は複数本の溝が設けられ、
前記第１ハウジング及び前記第２ハウジングの前記一方の端面側には、前記第１支持プレートと前記第２支持プレートに設けられた前記溝に沿って摺動可能に係合する係合手段を備え、
前記ヒンジ手段は、前記第１ハウジングと第２ハウジングが通水管を挟んだ際に前記第１プレートと前記第２プレートが略同一の平面を形成することを特徴とする着脱式水処理装置。
【請求項１１】
前記ヒンジ手段を形成する弾性部材は、形状記憶部材で形成されたことを特徴とする請求項１０に記載の着脱式水処理装置。
【発明の詳細な説明】
【技術分野】
【０００１】
本発明は、飲料用を含む上水用の水道管又は給水間（以下、これらを「通水管」という）を挟んだ状態で使用して通水管内の水を活性化させる着脱式水処理装置に関する。
【背景技術】
【０００２】
近年、公共水道水の水質が悪化し、カルキ臭の強い上水が都会地域のみならず地方においても供給されるようになった。また、マンションやビルディング等に設置された貯水槽や給水管が老朽化すると、貯水槽や給水管内に赤錆、スケール、スライム等が付着し、飲料水の品質低下等の弊害を引き起こす。
【０００３】
このような事態に鑑みて、永久磁石と遠赤外線放射体とを備え、通水管内を流通する水に磁界と遠赤外線を照射することにより水質を改善する水処理装置が広利用されるになった（例えば、特許文献１）。
【０００４】
不純物を含んで水質が劣化した水においては、不純物質が仲介してイオン化した水分子同士が引き合って大きな水分子の集団（クラスター）を形成して水本来の活性力が低減している。上記の着脱式水処理装置は、通水管内を通過する水の進行方向に対して直角方向から比較的強い磁界と遠赤外線を照射することにより、クラスター化した水分子にスピン現象を生じさせることにより、結合状態の水分子を分離し微粒子化させることにより水本来の活性力を向上させる簡易式の水処理装置である。
【０００５】
また、水道水の殺菌するために添加されている塩素は、水の中に元々含まれている有機物質と結合することによりカルキ臭を生じさせることから、このような水に上記のような水処理装置を用いて磁界と遠赤外線を照射することにより、塩素と有機物質の結合状態を解消させることによりカルキ臭を減少又は消滅させることができるのである。
【０００６】
このタイプの着脱式水処理装置は、多くの場合家庭内やオフィスにおいてユーザー自身が通水管に取り付けて使用するものであることから、種々のサイズ（直径）の通水管に適用可能であり、例えば家庭の主婦等であってもドライバーやスパナー等の工具なしに比較的簡易に取り付けられるように種々の工夫が施されるようになっている（例えば、特許文献２）。
【特許文献１】特公平５−１８６３５号
【特許文献２】特許第３０６８８０８号
【発明の開示】
【発明が解決しようとする課題】
【０００７】
しかし、このような従来の着脱式水処理装置においては、種々の径の通水管に適用可能であり、且つドライバーやスパナー等の工具を使用することなしに取り付けられるようには構成されているものの、通水管に交差する状態で挟む二つのハウジング（第１ハウジング及び第２ハウジング）内にそれぞれ収納されている相対極性の磁石の相互吸引力は強力であることから、二つのハウジングを磁気の吸引力に逆らって引き離して取り付けるには、それなりの強い握力を必要とする。
【０００８】
このため、通水管に交差する状態で挟んだ後の着脱式水処理装置においては、往々にして二つのハウジングが（第１ハウジング及び第２ハウジング）が通水管を挟んで、必ずしも平行状態に取り付けられておらず、取り付け当初から２つのハウジングを接合する側の一方の端側の間隔と他方の端側の間隔に相違が生じる状態に取り付けられてしまう場合が多かったのである。
【０００９】
図７は、従来の着脱式水処理装置を通水管に取り付けられた状態を示すものである。
【００１０】
図７（ａ）は、正常な取付状態を示し、第１支持プレート３と第２支持プレート４がヒンジ手段８において同一平面を形成することにより、第１ハウジング２と第２ハウジング３が通水管１０を平行に挟んだ取付状態となっている。この場合には、磁束と遠赤外線が通水管１０内を通過する水に対して垂直に照射されることになり、水処理装置の効果は最大限に発揮される。
【００１１】
図７（ｂ）と図７（ｃ）は、水処理装置の効果を減ずることとなる正しくない取付状態を示すものである。この場合、第１支持プレート３と第２支持プレート４がヒンジ手段８において同一平面を形成していないことから、第１ハウジング２と第２ハウジング３が通水管１０を挟んで平行になっていない。このため、磁束と遠赤外線は、通水管内を通過する水の一部にしか照射されないため、水処理装置の効果は大きく損なわれるのである。
【００１２】
ところで、磁気の吸引力は、相対する磁極間の距離の２乗に反比例することから、二つのハウジングが平行状態になっておらずに二つのハウジングの一方の端側の離隔距離と他方の端側の離隔距離において多少の相違があると、長時間使用時においては通水管の振動等により、二つのハウジングの非平行状態は磁気吸引力による不平衡によって徐々に拡大していくことになる。
【００１３】
通水管内を通過する水の進行方向に対して直角方向から磁界と遠赤外線を照射するタイプの水処理装置において、通水管内を通過する水に対して磁界と遠赤外線を、少なくとも水の進行方向における所定距離間は直角方向に照射することが、結合状態の水分子を分離し微粒子化させて水を活性化させるための必須の条件であり、着脱式水処理装置を構成する二つのハウジングが平行状態を維持できないこととなると（図７（ｂ）及び（ｃ）の状態）、水処理効果の著しい低減を生じさせてしまうのである。
【００１４】
このため、本発明は、取付工具なしに種々の径の通水管に適用可能であり、通水管内を通過する水に対して磁界と遠赤外線を、少なくとも水の進行方向における所定距離間を確実に直角方向に照射させることを可能にした着脱式水処理装置の提供を目的とするものである。
【課題を解決するための手段】
【００１５】
本発明は、上記した従来の着脱式水処理装置の課題に鑑みてなされたものであり、通水管内を流通する水に対して磁力線と赤外線を照射することにより水を活水化させる水処理装置であって、前記通水管を交差する状態で挟む第１ハウジング及び第２ハウジングと、前記第１ハウジング内と前記第２ハウジング内にそれぞれ収納された相反極性の磁気手段及び赤外線放射手段と、前記第１ハウジングと前記第２ハウジングの一方の端面に接してこれを保持する第１支持プレート及び第２支持プレートと、前記第１支持プレートと第２支持プレートを回動可能に接続するヒンジ手段と、から構成され、前記第１支持プレートと前記第２支持プレートには、通水管の外径に応じて前記第１ハウジングと前記第２ハウジングの間隔を調整可能する１又は複数本の溝が設けられ、前記第１ハウジング及び前記第２ハウジングの前記一方の端面側には、前記第１支持プレートと前記第２支持プレートに設けられた前記溝に沿って摺動可能に係合する係合手段を備え、前記ヒンジ手段は、前記第１ハウジングと第２ハウジングが通水管を挟んだ際に前記第１プレートと前記第２プレートが略同一の平面を形成することにより前記第１ハウジングと前記第２ハウジングが平行状態を形成するためのストッパ手段を、備えることを特徴とする着脱式水処理装置を提供するものである。
【００１６】
これにより、本着脱式水処理装置は、取付工具なしに種々の径の通水管に適用可能であり、通水管内を通過する水に対して磁界と遠赤外線を少なくとも水の進行方向における所定距離間は直角方向に照射させることを可能にし、結合状態の水分子を分離し微粒子化させて水を活性化させる効果を、最大限に発揮させることを可能にしたのである。
【００１７】
ここで、前記ストッパ手段は、前記第１ハウジングと第２ハウジングが通水管を挟んで前記第１プレートと前記第２プレートが略同一の平面を形成した際に、前記第１プレート又は／及び前記第２プレートの表面又は裏面に接する突起部であることを特徴とする。
【００１８】
ところで、前記ストッパ手段は、前記ヒンジ手段ではなく、前記第１プレートと前記第２プレートの何れか一方又は両方に設けるようにしてもよい。
【００１９】
本発明に係る着脱式水処理装置は、さらに、前記第１プレートと前記第２プレートを同一平面になる方向に広げる作用を生じるバネ手段を備えることを特徴とする。これによりバネ手段は、前記ストッパ手段と協動して前記第１ハウジングと前記第２ハウジングが平行状態を形成し且つそれを維持する作用を生じることとなるのである。当該バネ手段は、ヒンジ手段とは別個に設けても、ヒンジ手段に備えるように構成しても良い。
【００２０】
また、前記１又は複数本の溝は、前記第１支持プレートと前記第２支持プレートの接合線に対して直角又は線対称となる所定の角度を有する方向に設けられる。
【００２１】
ところで、前記磁気手段は、強力な磁界を生じさせるべくネオジウム磁石及びヨークにより構成される。また、前記赤外線放射手段は、遠赤外線を放射する遠赤外線放射体であって前記磁気手段の周囲に配置されるのである。
【００２２】
さらに、前記第１ハウジング及び前記第２ハウジングは、磁界と遠赤外線を通過させるべく抗菌処理が施されたＡＢＳ樹脂材により構成されている。
【００２３】
また、前記第１支持プレートと第２支持プレートを回動可能に接続するヒンジ手段は、弾性部材により形成され、前記第１ハウジングと第２ハウジングが通水管を挟んだ際に前記第１プレートと前記第２プレートが略同一の平面を形成するようにしてもよい。この場合、当該ヒンジ手段を形成する弾性部材は、形状記憶部材で形成される。
【発明の効果】
【００２４】
本発明によれば、種々の径の通水管に適用可能であり且つドライバーやスパナー等の取付工具を使用することなしに通水管に取り付けられることを維持しつつ、通水管内を通過する水に対して磁界と遠赤外線を、少なくとも水の進行方向における所定距離間を確実に直角方向に照射させることを可能にし、結合状態の水分子を分離し微粒子化させて水を活性化させる効果を最大限に発揮させることを実現したのである。
【発明を実施するための最良の形態】
【００２５】
以下、図面を参照して、本発明の実施の形態について詳細に説明する。
【００２６】
図１は、本発明に係る着脱式水処理装置１を通水管１０に取り付けた状態を示すものである。
図１に示すように、本着脱式水処理装置１は、通水管１０を交差する状態で挟む第１ハウジング２及び第２ハウジング３と、第１ハウジング２と第２ハウジング３の一方の端面に接してこれを保持する第１支持プレート４及び第２支持プレート５と、第１支持プレート４と第２支持プレート５を回動可能に接続するヒンジ手段８と、から構成される。
【００２７】
さらに、後述するように、第１支持プレート４と第２支持プレート５には、通水管１０の外径に応じて第１ハウジング２と第２ハウジング３の間隔を調整可能する１又は複数本の溝（図２、図３、図４における１９、２０）が設けられ、第１ハウジング２及び第２ハウジング３の一方の端面側（図１の上方側端面）には、第１支持プレート４と第２支持プレート５に設けられた溝１９、２０に沿って摺動可能に係合する係合手段６、７を備える。
【００２８】
対を形成する第１ハウジング２と第２ハウジング３は、図示のように、左右対称の形状を有している。そして、通水管１０を挟んだ時に通水管１０に接する箇所は、「く」の字状の凹みを有して通水管への接触性及び装着性を向上させている。
【００２９】
そして、第１ハウジング２内には、（例えば）Ｎ極の磁束を通水管１０側に放射する第１磁気手段１６と、第１ハウジング２の外部への磁束の漏洩を防止すると共に表面磁力を向上させるヨーク１５が収納されている。
【００３０】
ヨーク１５（第２ハウジング内の１１も同様）は、鉄、ニッケル及びコバルト等の強磁性体により形成される。ヨーク１１、１５は、外部への漏洩磁力がゼロになる厚さ（即ち、いわゆる飽和状態になる厚さ）以下であれば、厚い方が表面磁力が大きくなる。しかし、ヨーク１５を厚くすると、装置全体の重量が重くなるので永久磁石の厚さと同程度、又は永久磁石の厚さよりも僅かに厚い程度が好ましい。
【００３１】
また、第１磁気手段１６（第２ハウジング内の１２も同様）は永久磁石であって、ヨーク１５上の内側（通水管１０側）に取り付けられている。永久磁石としては、フェライト磁石を使用することも可能ではあるが、小型で強力な表面磁力を得ることができるネオジウム磁石（表面磁力３５００Ｇ〜４０００Ｇ）を使用するのが好ましい。
【００３２】
第１ハウジング２内には、さらに、第１磁気手段１６の両側に隣接した箇所に、遠赤外線放射体１７、１８が取り付けられている。遠赤外線放射体１７、１８の取付位置は、ヨーク１５の上であってもサイドであってもよい。
【００３３】
この遠赤外線放射体１７、１８（第２ハウジング内の１３、１４も同様）は、好ましくは、陶器製の遠赤外線放射体であり、その成分は、ＳｉＯ2が７０〜８０％（好ましくは、７６％）、Ａｌ2Ｏ3が１０〜２０％（好ましくは、１６％）、Ｆｅ2Ｏ3が３〜９％（好ましくは、６％）がＺｒＯ2が５％以下（好ましくは、２％）である。尚、遠赤外線放射体１７、１８の代わりに、遠赤外線放射塗料を、ヨーク１５（第２ハウジング内の１１１も同様）又はハウジング２、３の内壁に塗布してもよい。遠赤外線放射塗料としては、珪酸（シリカ）を主成分として数％の炭素を含有する黒色鉱物を粉状にし、これに各種樹脂（エポキシ樹脂）を混合したものを使用する。
【００３４】
第２ハウジング３内の構成は、第１ハウジング２内の構成と同様である。すなわち、第２ハウジング３内には、第１磁気手段１２とは相対する極性の（例えば）Ｓ極の磁束を通水管１０側に放射する第２磁気手段１２と、第２ハウジング３の外部への磁束の漏洩を防止すると共に表面磁力を向上させるヨーク１１が収納されている。ヨーク１１は、鉄、ニッケル及びコバルト等の強磁性体により形成される。また、第２磁気手段１２は永久磁石であって、ヨーク１１上の内側（通水管１０側）に取り付けられている。
【００３５】
第２ハウジング３内には、さらに、第２磁気手段１２の両側に隣接した箇所に、遠赤外線放射体１３、１４が取り付けられている。遠赤外線放射体１３、１４の取付位置は、ヨーク１１の上であってもサイドであってもよい。
【００３６】
第１支持プレート４と第２支持プレート５を回動可能に接続するヒンジ手段８には、第１ハウジング２と第２ハウジング３が通水管を挟んだ際に、第１プレート４と第２プレート５が略同一の平面を形成して第１ハウジング２と第２ハウジング３が平行状態になるためのストッパ手段９を備える。これにより、本着脱式水処理装置１においては、２つのハウジング２、３が、図７（ｃ）に示したように、支持プレート４、５側において閉じ過ぎ状態の不正常な取付状態になる事態を排除している。
【００３７】
ストッパ手段９は、ヒンジ手段８が１８０度以上開かないように、ヒンジ手段８自身に設けてもよく、または、後述するように支持プレート４、５に設けるようにしても良い。
【００３８】
さらに、本着脱式水処理装置においては、第１プレート４と第２プレート５を同一平面になる方向に広げる作用を生じるバネ手段２１を備えるようにしてもよい。これにより、本着脱式水処理装置１においては、２つのハウジング２、３が、図７（ｂ）に示したように、支持プレート４、５側において開き過ぎ状態の不正常な取付状態になる事態を排除可能となる。
【００３９】
バネ手段２１は、第１プレート４と第２プレート５を同一平面になる方向に広げる例えば鶴巻バネをヒンジ手段８に設けても、ヒンジ手段８とは別個に設けてもよく、ヒンジ手段に備えるように構成しても良い。
【００４０】
ところで、第１支持プレート４と第２支持プレート５を回動可能に接続するヒンジ手段８は、弾性部材により形成され、第１ハウジング２と第２ハウジング３が通水管を挟んだ際に第１プレート４と第２プレート５が略同一の平面を形成するようにしてもよい。この場合、当該ヒンジ手段８を形成する弾性部材は、例えば形状記憶部材で形成される。
【００４１】
尚、第１ハウジング２内に収納されている第１磁気手段１６と第２ハウジング３内に収納されている第２磁気手段１２は、遠赤外線と相俟って通水管１０内を通過する水に磁力線を照射することによりクラスター化した水を細分化させて活性化させるものであるが、同時に、第１ハウジング２と第２ハウジング３を相互にその磁力によって相互に引き付けることにより、本装置１が、取り付けた通水管１０から容易に落下しないようにする作用を兼用するものである。
【００４２】
また、第１ハウジング２及び第２ハウジング３の素材は、磁力線と遠赤外線を通過させる耐久性に優れたプラスチック材料でなければならず、本装置においては抗菌処理が施されたＡＢＳ樹脂材を使用している。
【実施例１】
【００４３】
図２は、本発明に係る着脱式水処理装置の第１実施例の外観を示すものであり、図２（ａ）は、その上面を示し、図２（ｂ）はその側面を示す。
【００４４】
第１ハウジング２と第２ハウジング３の内部構成、ヒンジ手段９、ストッパ手段９及びバネ手段２１については、図１において説明したとおりであるのでここでは省略する。
【００４５】
図２（ａ）に示すとおり、第１支持プレート２及び第２支持プレート３には、それぞれ２本の溝（１９ａと１９ｂ）、（２０ａと２０ｂ）が設けられており、この２本の溝（１９ａと１９ｂ）、（２０ａと２０ｂ）は、それぞれ第１支持プレート２と第２支持プレート３の接合線に対して線対称となる概ね４５度の角度を有する方向に設けられている。これらの溝（１９ａと１９ｂ）、（２０ａと２０ｂ）に沿って、第１ハウジング２と第２ハウジング３の係合手段（６ａと６ｂ）、（７ａと７ｂ）が、溝（１９ａと１９ｂ）、（２０ａと２０ｂ）に対して摺動可能に取り付けられていることにより、種々の外径サイズの通水管１０に取り付けても、第１ハウジング２と第２ハウジング３の平行状態を可能にしているのである。
【実施例２】
【００４６】
図３は、本発明に係る着脱式水処理装置の第２実施例の外観を示すものであり、図３（ａ）は、その上面を示し、図３（ｂ）はその側面を示す。
【００４７】
第１ハウジング２と第２ハウジング３の内部構成、ヒンジ手段９、ストッパ手段９及びバネ手段２１については、図１において説明したとおりであるのでここでは省略する。
【００４８】
図３（ａ）に示すとおり、第１支持プレート２及び第２支持プレート３には、それぞれ３本の溝（１９ａと１９ｂと１９ｃ）、（２０ａと２０ｂと２０ｃ）が設けられており、この３本の溝（１９ａと１９ｂと１９ｃ）、（２０ａと２０ｂと２０ｃ）は、それぞれ第１支持プレート２と第２支持プレート３の接合線に対して線対称となる直角方向に設けられている。この溝（１９ａと１９ｂと１９ｃ）、（２０ａ、２０ｂと２０ｃ）に沿って、第１ハウジング２と第２ハウジング３に取り付けられている係合手段（６ａと６ｂと６ｃ）、（７ａと７ｂと７ｃ）が、溝（１９ａと１９ｂと１９ｃ）、（２０ａと２０ｂと２０ｃ）に対して摺動可能に取り付けられていることにより、種々の外径サイズの通水管１０に取り付けても、第１ハウジング２と第２ハウジング３の平行状態を可能にしているのである。
【実施例３】
【００４９】
図４は、本発明に係る着脱式水処理装置の第１実施例の外観を示すものであり、図４（ａ）は、その上面を示し、図４（ｂ）はその側面を示す。
【００５０】
第１ハウジング２と第２ハウジング３の内部構成、ヒンジ手段９、ストッパ手段９及びバネ手段２１については、図１において説明したとおりであるのでここでは省略する。
【００５１】
図４（ａ）に示すとおり、第１支持プレート２及び第２支持プレート３には、それぞれ１本の溝（１９ａ）、（２０ａ）が設けられており、この１本の溝（１９ａ）、（２０ａ）は、それぞれ第１支持プレート２と第２支持プレート３の接合線に対して直角方向に設けられている。この溝（１９ａ）、（２０ａ）に沿って、第１ハウジング２と第２ハウジング３の係合手段（６ａ）、（７ａ）が、溝（１９ａ）、（２０ａ）に対して摺動可能に取り付けられていることにより、種々の外径サイズの通水管１０に取り付けても、第１ハウジング２と第２ハウジング３の平行状態を可能にしているのである。
【００５２】
図５は、ストッパ手段９の第２の形態を示すものである。
【００５３】
上記したように、ストッパ手段は、第１ハウジング２と第２ハウジング３が通水管を挟んだ際に第１プレート４と第２プレート５が略同一の平面を形成するようにするためのものである。このため、このストッパ手段９の第２の形態においては、ヒンジ手段８にストッパ手段を設けるのではなく、第１プレート又は第２プレートに設けるようにしている。
【００５４】
図５においては、本装置１が通水管に取り付けられた際に、第２プレート５から伸びたストッパ手段９が、第１プレート４の下面に当接することにより、第１プレート４と第２プレート５が略同一の平面を形成するようにしている。
【００５５】
図６は、ストッパ手段９の第３の形態を示すものである。
【００５６】
このストッパ手段９の第３の形態においては、図５に示した第２の形態のものと同様に、ヒンジ手段８にストッパ手段を設けるのではなく、第１プレート又は第２プレートに設けるようにしている。
【００５７】
図６においては、本装置１が通水管に取り付けられた際に、第２プレート５から伸びた２本のストッパ手段９ａ、９ｂが、第１プレート４の下面の２箇所に当接することにより、第１プレート４と第２プレート５が略同一の平面を形成するようにしている。
【図面の簡単な説明】
【００５８】
【図１】本着脱式水処理装置１の構成と、本装置を通水管１０に取り付けるときの状態を示す。（ａ）は、二つのハウジングをヒンジ手段を中心に広げた状態を示し、（ｂ）は、取り付け後の状態を示す。
【図２】本着脱式水処理装置の第１実施例の外観を示す。（ａ）は上面図、（ｂ）は側面図を示す。
【図３】本着脱式水処理装置の第２実施例の外観を示す。（ａ）は上面図、（ｂ）は側面図を示す。
【図４】本着脱式水処理装置の第３実施例の外観を示す。（ａ）は上面図、（ｂ）は側面図を示す。
【図５】ストッパ手段の第２の形態を示す
【図６】ストッパ手段の第３の形態を示す
【図７】着脱式水処理装置の通水管への取付状態を示す。（ａ）は正しい取付状態を示し、（ｂ）及び（Ｃ）は正しくない取付状態を示す。
【符号の説明】
【００５９】
１：着脱式水処理装置
２：第１ハウジング
３：第２ハウジング
４：第１支持プレート
５：第２支持プレート
６、７：係合手段
８：ヒンジ手段
９：ストッパ手段
１０：通水管
１１、１５：ヨーク
１２：磁気手段（第１極性）
１６：磁気手段（第２極性）
１３、１４、１７、１８：遠赤外線放射手段
１９：溝
２０：バネ手段
【図１】
2005205245.tif 000003
【図２】
2005205245.tif 000004
【図３】
2005205245.tif 000005
【図４】
2005205245.tif 000006
【図５】
2005205245.tif 000007
【図６】
2005205245.tif 000008
【図７】
2005205245.tif 000009